(57)【要約】【課題】携帯電話の使用中などのときに姿勢が崩れるような力が加わったときにも姿勢の維持に寄与することができる新規な技術を提供する。【解決手段】  トルマリンおよびシリカを含み、Ｘ線光電子分光法により測定されたマグネシウムとケイ素の含有比が１：０．８〜３であり、マグネシウムとカルシウムの含有比が１：０．５〜１．５である、姿勢維持補助組成物。【選択図】  なし【特許請求の範囲】
【請求項１】
トルマリンおよびシリカを含み、
マグネシウムとケイ素の含有比が１：０．８〜３であり、マグネシウムとカルシウムの含有比が１：０．５〜１．５である、姿勢維持補助組成物。
【請求項２】
マグネシウムとケイ素の含有比が１：１〜２であり、マグネシウムとカルシウムの含有比が１：０．５〜１である請求項１に記載の姿勢維持補助組成物。
【請求項３】
塩素燐灰石、閃亜鉛鉱およびモナズ石をさらに含む請求項１または２に記載の姿勢維持補助組成物。
【請求項４】
樹脂で固定されている請求項１から３のいずれか一つに記載の姿勢維持補助組成物。
【発明の詳細な説明】
【技術分野】
【０００１】
本発明は姿勢維持補助組成物に関する。
【背景技術】
【０００２】
体の左右半身の一方に力が加わると、姿勢が崩れ、ぐらついてしまうことが知られている。また、このような事態は、一方の手のみで比較的重い荷物を持っていたり、携帯電話を片耳に当てたりしていると生じやすい。
このようなときに姿勢をより保ちやすくする技術は従来知られていなかった。
【０００３】
一方、肩こり等の軽減のための磁気治療器の分野において、トルマリンなどの鉱石の混合物を利用することが知られている。例えば、特許文献１には、翡翠、琥珀、カーネリアン等の粉末を混合して鉱石等粉混合体を製造し、これと石膏等との混練物を乾燥して固形化させた磁気治療器が開示されている。
【先行技術文献】
【特許文献】
【０００４】
【特許文献１】特開２０１２−２０５６０８号公報
【発明の概要】
【発明が解決しようとする課題】
【０００５】
上述のとおり、ヒトなどの体の左右半身の一方に姿勢が崩れるような力が加わったときに姿勢をより保ちやすくする技術は従来知られていなかった。
本発明は、体の左右半身の一方に姿勢が崩れるような力が加わったときにも姿勢の維持に寄与することができる新規な技術を提供する。
【課題を解決するための手段】
【０００６】
本発明者は鋭意研究の結果、トルマリン等の所定の鉱石の混合物であって、マグネシウム、ケイ素、カルシウムの含有比が所定の範囲にある組成物を例えば身に付けていると、上述のような力が加わったときにも姿勢が崩れにくくなることを見出し、本発明を完成させた。
【０００７】
すなわち、本発明の要旨は以下のとおりである。
[１]    トルマリンおよびシリカを含み、
マグネシウムとケイ素の含有比が１：０．８〜３であり、マグネシウムとカルシウムの含有比が１：０．５〜１．５である、姿勢維持補助組成物。
[２]    マグネシウムとケイ素の含有比が１：１〜２であり、マグネシウムとカルシウムの含有比が１：０．５〜１である[１]に記載の姿勢維持補助組成物。
[３]    塩素燐灰石、閃亜鉛鉱およびモナズ石をさらに含む[１]または[２]に記載の姿勢維持補助組成物。
[４]    樹脂で固定されている[１]から[３]のいずれか一つに記載の姿勢維持補助組成物。
【発明の効果】
【０００８】
本発明によれば、体の左右半身の一方に姿勢が崩れるような力が加わったときにも姿勢の維持に寄与することができる新規な技術を提供することができる。
【発明を実施するための形態】
【０００９】
以下、本発明の一つの実施形態について詳しく説明する。
本実施形態は姿勢維持補助組成物に関し、トルマリンおよびシリカを含む。また、マグネシウムとケイ素の含有比は１：０．８〜３であり、マグネシウムとカルシウムの含有比は１：０．５〜１．５である。
【００１０】
本実施形態において、トルマリンおよびシリカは天然鉱物として得られるものを利用することができ、例えば市販のものを、上述のマグネシウムとケイ素の含有比およびマグネシウムとカルシウムの含有比を満足するように適宜混合するなどすればよい。シリカは、例えばテラヘルツなどの名称でも販売されている。
本実施形態の姿勢維持補助組成物においては、例えば、トルマリンおよびシリカを粉体として混合するなどすればよい。各粒子の大きさなどは特に限定されず、当業者が適宜設定することができる。また、混合に使用する鉱石の量も特に限定されず、当業者が適宜設定することができる。
【００１１】
トルマリンおよびシリカの混合割合は特に限定されず、マグネシウムとケイ素の含有比が１：０．８〜３であり、マグネシウムとカルシウムの含有比が１：０．５〜１．５であるように混合されていればよく、姿勢維持により寄与することができる観点から、マグネシウムとケイ素の含有比が１：１〜２であり、マグネシウムとカルシウムの含有比が１：０．５〜１であることが好ましい。
【００１２】
なお、本実施形態の姿勢維持補助組成物におけるマグネシウム、ケイ素、カルシウムの含有比は、Ｘ線光電子分光法による元素分析により得ることができる。
Ｘ線光電子分光法による元素分析は例えば、島津製作所製のAXIS-ULTRA DLDを用い、真空下（１０−9Ｔｏｒｒ）に配置した試料に対しＸ線（Ａｌｋα線，１４８６．６ｅＶ）を照射して行うことができる。当該分析では、得られる光電子の運動エネルギーから元素比を見積もる。
【００１３】
本実施形態の姿勢維持補助組成物はトルマリンおよびシリカに加えて、本発明の目的を達成することができる限り他の成分を含むようにしてもよく、特に限定されない。
【００１４】
例えば、本実施形態の姿勢維持補助組成物は、塩素燐灰石、閃亜鉛鉱およびモナズ石をさらに含むことが好ましい。トルマリン、シリカに加えて塩素燐灰石、閃亜鉛鉱およびモナズ石を含有することで、姿勢をより保ちやすくなる。
塩素燐灰石、閃亜鉛鉱およびモナズ石についても市販品を用いることができる。また、塩素燐灰石、閃亜鉛鉱およびモナズ石についても、例えば粉体としてトルマリンおよびシリカと混合するなどすればよい。
【００１５】
また、本実施形態の姿勢維持補助組成物は、樹脂に固定されているようにしてもよい。具体的には、固形の樹脂中にトルマリン、シリカ等が分散して存在していたり、トルマリン、シリカ等が固形の樹脂の表面において固定されていたりする態様を挙げることができる。
樹脂の種類やその量については特に限定されず、当業者が適宜設定できる。例えば、ポリエチレン樹脂、ポリプロピレン樹脂、ポリスチレン樹脂、ポリカーボネート樹脂、エポキシ樹脂、ABS樹脂、AS樹脂、尿素樹脂、メラミン樹脂、シリコン樹脂等が挙げられる。
本実施形態の姿勢維持補助組成物を樹脂に固定する方法は特に限定されず、当業者が適宜設定できる。例えば、樹脂ペレット中にこれらを混合した後、溶融混練、成形などを行えばよい。
【００１６】
本実施形態の姿勢維持補助組成物は、これを身に付けたり、体の周辺に配置するなどしてその作用効果を享受することができる。
具体的には例えば、本実施形態の姿勢維持補助組成物を携帯電話に貼り付けたり、直立した状態で頭部や胸部に触れさせたりすればよい。
【００１７】
以上、本実施形態の姿勢維持補助組成物によれば、体の左右半身の一方に姿勢が崩れるような力が加わったときにも、個人差等あるが、姿勢を保ちやすくなる。したがって、上記のような力が加わった場合の姿勢の維持に寄与することができる。
【実施例】
【００１８】
以下、実施例により本発明をより詳しく説明する。しかしながら、本実施例は本発明を何ら限定するものではない。
【００１９】
［実施例１〜４の姿勢維持補助組成物の調製］
トルマリン、シリカ、閃亜鉛鉱、塩素燐灰石、モナズ石を粉末状とするとともに、常温で混合した。次いで、得られた混合物をエポキシ樹脂中に分散状態で固定した。
各実施例１〜４における各鉱石の混合割合は表１に示すとおりである。なお、表１では樹脂を含めた状態での含有割合を示している。また、各実施例の姿勢維持補助組成物の重量は、樹脂を含めた状態で０．０１ｇとした。
【００２０】
【表１】
2018166706.tif 000002
【００２１】
樹脂で固定されている実施例１〜４の姿勢維持補助組成物について、Ｘ線光電子分光法による元素分析を行った。
具体的には、島津製作所製のAXIS-ULTRA DLDを用い、真空下（１０−9Ｔｏｒｒ）に配置した試料の表面に対しＸ線（Ａｌｋα線，１４８６．６ｅＶ）を照射した。
結果を表２に示す。なお、表２においては炭素、酸素、窒素をそれぞれ０としたときの値を示す。
【００２２】
【表２】
2018166706.tif 000003
【００２３】
［体感試験］
実施例１から４の姿勢維持補助組成物を使用した場合の効果を評価した。
試験時のパネラーの姿勢：起立した状態で、目線は同じ高さを保ち背筋を伸ばし、両足をほぼ一直線上で且つ前足と後足の間隔をほぼ一足分明け、重心をやや後方にした。
上記のような姿勢にあるパネラーに、前足と同じ方の肩もしくは腕に対し下方への約２０ｋｇ程度の重力を掛けた。
なお、当該試験は、実施例１の姿勢維持補助組成物を頭部（後足側のこめかみ）に貼り付けた場合（以下、平常時という）と、携帯電話に実施例１の姿勢維持補助組成物を貼付け、後足の側の耳に該携帯電話を押し当てた状態とした場合（以下、携帯電話使用時という）について行った。
対照を実施例１の姿勢維持補助組成物未使用とした。
結果を表３に示す。
【００２４】
【表３】
2018166706.tif 000004
【００２５】
表３から理解できるように、平常時および携帯電話使用時のいずれの場合にも実施例１の姿勢維持補助組成物を使用することで姿勢を保ちやすくなったことが理解できる。また、実施例2から4の姿勢維持補助組成物を使用した場合でも、実施例１と同様の結果を得られた。